(57)【要約】【課題】列反転駆動で液晶表示パネルを駆動する駆動装置において、消費電力をより低減する。【解決手段】ソース配線に電圧を印加する出力バッファ２５１において、１フレームにおける駆動開始後の所定期間では、バイアス回路２６２は増幅器２６１の駆動能力を低くするバイアス電圧を与え、第１のスイッチ２６３は開放状態になり、第２のスイッチ２６４は閉鎖状態になる。所定期間が終了すると、第１のスイッチ２６３は閉鎖状態になり、第２のスイッチ２６４は開放状態になって、ソース配線は、Ｄ−Ａコンバータからの電圧信号で駆動される。【選択図】図５
2012008519.tif 000002
【特許請求の範囲】
【請求項１】
複数のゲート配線と複数のソース配線とが交差するように配置された液晶表示パネルのソース配線を列反転駆動で駆動するソースドライバを備えた液晶表示パネルの駆動装置であって、
前記ソースドライバは、少なくとも各フレームにおける最初の１ラインを駆動する初期期間での駆動能力に対して、各フレームにおける前記初期期間よりも後の期間における少なくとも一部の期間での駆動能力を低くする
ことを特徴とする液晶表示パネルの駆動装置。
【請求項２】
ソースドライバは、初期期間よりも後の期間では全期間に亘って駆動能力を低くする
請求項１記載の液晶表示パネルの駆動装置。
【請求項３】
ソースドライバは、初期期間よりも後の期間では、定期的に生ずる各期間における先行する所定区間での駆動能力に比べて、所定区間よりも後の区間における駆動能力を低くする
請求項１記載の液晶表示パネルの駆動装置。
【請求項４】
先行する所定区間での駆動能力を、初期期間での駆動能力よりも低くする
請求項３記載の液晶表示パネルの駆動装置。
【請求項５】
ソースドライバは、先行する所定区間の長さを調整する区間調整手段を含む
請求項３記載の液晶表示パネルの駆動装置。
【請求項６】
ソースドライバは、
データ信号に応じた電圧の信号が増幅器を介してソース配線に印加される状態と前記増幅器を介さずに前記ソース配線に印加される状態とのいずれかの状態に設定する出力経路設定部とを含み、
前記出力経路設定部は、駆動能力を低くするときには、前記データ信号に応じた電圧の信号が前記増幅器を介さずに前記ソース配線に印加される状態に設定し、
前記駆動能力を高くするときには、前記出力経路設定部は、前記データ信号に応じた電圧の信号が前記増幅器を介して前記ソース配線に印加される状態に設定し、前記増幅器は、前記データ信号に応じた電圧の信号が前記ソース配線にそのまま印加される場合の出力可能電流に比べて、出力可能電流を上昇させる
請求項１から請求項５のうちのいずれか１項に記載の液晶表示パネルの駆動装置。
【請求項７】
ソースドライバは、出力可能電流を変化させることが可能な増幅器を含み、
データ信号に応じた電圧の信号は前記増幅器を介してソース配線に印加されるように構成され、
前記増幅器は、駆動能力を高くするときには、駆動能力を低くするときの出力可能電流に比べて、出力可能電流を上昇させた状態で前記データ信号に応じた電圧の信号を前記ソース配線に印加する
請求項１から請求項５のうちのいずれか１項に記載の液晶表示パネルの駆動装置。
【請求項８】
ソースドライバは、垂直ブランキング期間において、隣接するソース配線を短絡させるか、または各ソース配線を所定の電位に接続するソース配線初期設定部を含む
請求項１から請求項７のうちのいずれか１項に記載の液晶表示パネルの駆動装置。
【発明の詳細な説明】
【技術分野】
【０００１】
本発明は、列反転駆動で液晶表示パネルを駆動する液晶表示パネルの駆動装置に関する。
【背景技術】
【０００２】
ＴＦＴ（Thin Film Transistor）を用いた液晶表示パネルを駆動する場合、ゲート配線とソース配線の交差部である画素毎に設けられているＴＦＴのゲートをオンさせるためのゲートオン電圧ＶＧＨ、ＴＦＴのゲートをオフさせるためのゲートオフ電圧ＶＧＬ、ＴＦＴのソースに印加されるデータ電圧（ソース電圧）ＶＤ、およびコモン電極に印加されるコモン電圧ＶＣＯＭのそれぞれの電圧が必要である。
【０００３】
液晶表示パネルを直流電圧で駆動すると寿命が短くなる等の理由で、一般に、液晶表示パネルを駆動する駆動法として交流駆動が用いられる。交流駆動として、ライン反転駆動、列反転駆動、ドット反転駆動等がある（例えば、特許文献１参照）。
【０００４】
列反転駆動は、マトリクス状に画素が配された液晶表示パネルにおいて横方向の画素群（ライン：行）を例えば上側から下側に順次駆動する場合に、１フレームにおいてデータ電圧が例えば左側のソース配線（列）から右側の列に向かって、正極性、負極性、正極性、負極性、・・・になるようにし、次のフレームでは各列のデータ電圧の極性が直前のフレームにおける極性と逆になるようにする駆動法である。
【０００５】
以下、コモン電圧よりもソース電極の電位の方が高い状態を正極性の状態とし、コモン電圧よりもソース電極の電位の方が低い状態を負極性の状態とする。
【０００６】
特許文献１には、駆動装置の消費電力を低減するために、垂直ブランキング期間中にソース配線に印加する電圧を反転させたり、垂直ブランキング期間が開始されるとソース配線を一旦コモン電位に充電したりする方法が記載されている。そのような構成によって、極性を切り替えるときにソースドライバに流れるラッシュ電流（突入電流）が低減される。
【０００７】
また、特許文献１には、垂直ブランキング期間において、隣接するソース配線を短絡させるチャージシェアを実行し、次いで、所定電圧の正極性および負極性のデータ電圧をソース配線に供給し、さらに、チャージシェアを実行することによって、ソース配線の電位をコモン電圧に近づける方法が記載されている。なお、ソース配線に供給される所定電圧のデータ電圧は、垂直ブランキング期間における最初の水平有効期間において、ソース配線にデータ電圧を出力するソースドライバに供給される。
【先行技術文献】
【特許文献】
【０００８】
【特許文献１】特開２００８−８９２８号公報
【発明の概要】
【発明が解決しようとする課題】
【０００９】
しかし、特許文献１に記載された液晶表示パネルの駆動装置を用いる場合には、垂直ブランキング期間における最初の水平有効期間において出力されるデータ電圧の電圧値をあらかじめ計算等によって決めなければならない。また、一般に、使用しうるデータ電圧の電圧値の種類の数は階調数に応じた数であり、任意の所望の値に設定することはできない。さらに、垂直ブランキング期間における最初の水平有効期間においてデータ電圧が出力されるようにするために、ソースドライバやゲートドライバにクロック信号やラッチ信号を供給するタイミング制御回路の構成を、一般的なタイミング制御回路の構成から大きく変更しなければならない。また、実際に表示のための駆動が行われる期間（以下、表示期間という。）における消費電力は低減されていない。
【００１０】
そこで、本発明は、列反転駆動で液晶表示パネルを駆動する駆動装置において、簡易な構成によって消費電力をより低減することを目的とする。
【課題を解決するための手段】
【００１１】
本発明による液晶表示パネルの駆動装置は、複数のゲート配線と複数のソース配線とが交差するように配置された液晶表示パネルのソース配線を列反転駆動で駆動するソースドライバを備えた液晶表示パネルの駆動装置であって、ソースドライバは、少なくとも各フレームにおける最初の１ラインを駆動する初期期間（１ライン以上の期間）での駆動能力に対して、各フレームにおける初期期間よりも後の期間における少なくとも一部の期間での駆動能力を低くすることを特徴とする。
【００１２】
ソースドライバは、例えば、初期期間よりも後の期間では全期間に亘って駆動能力を低くするように構成される。
【００１３】
ソースドライバは、例えば、初期期間よりも後の期間では、定期的に生ずる各期間（例えば、各ラインの期間）における先行する所定区間（前半の区間）での駆動能力に比べて、所定区間よりも後の区間（後半の区間）における駆動能力を低くするように構成される。そのような構成によれば、液晶表示パネルの特性を考慮して表示品位の低下防止等を図りつつ消費電流を低減することができる。また、先行する所定区間での駆動能力を初期期間での駆動能力よりも低くするように構成されていてもよい。また、ソースドライバは、先行する所定区間の長さを調整する区間調整手段を含んでいてもよい。
【００１４】
ソースドライバは、例えば、データ信号に応じた電圧の信号が増幅器を介してソース配線に印加される状態と増幅器を介さずにソース配線に印加される状態とのいずれかの状態に設定する出力経路設定部とを含み、出力経路設定部は、駆動能力を低くするときには、データ信号に応じた電圧の信号が増幅器を介さずにソース配線に印加される状態に設定し、駆動能力を高くするときには、出力経路設定部は、データ信号に応じた電圧の信号が増幅器を介してソース配線に印加される状態に設定し、増幅器は、データ信号に応じた電圧の信号がソース配線にそのまま印加される場合の出力可能電流に比べて、出力可能電流を上昇させるように構成される。
【００１５】
ソースドライバは、出力可能電流を変化させることが可能な増幅器を含み、データ信号に応じた電圧の信号は増幅器を介してソース配線に印加されるように構成され、増幅器は、駆動能力を高くするときには、駆動能力を低くするときの出力可能電流に比べて、出力可能電流を上昇させた状態でデータ信号に応じた電圧の信号をソース配線に印加するように構成されていてもよい。
【００１６】
ソースドライバは、垂直ブランキング期間において、隣接するソース配線を短絡させるか、または各ソース配線を所定の電位に接続するソース配線初期設定部を含んでいてもよい。そのような構成によれば、より簡便な構成で、極性を切り替えるときにソースドライバに流れる突入電流を抑制して消費電力を低減することができる。
【発明の効果】
【００１７】
本発明によれば、列反転駆動で液晶表示パネルを駆動する駆動装置において、簡易な構成によって消費電力をより低減することができる。
【図面の簡単な説明】
【００１８】
【図１】本発明による駆動装置が適用された液晶表示装置の構成例を示すブロック図。
【図２】データ電圧を示す説明図。
【図３】本発明による駆動装置の第１の実施の形態における動作例を示すタイミング図。
【図４】本発明による駆動装置の第１の実施の形態における動作例を示すタイミング図。
【図５】出力バッファの構成例を示すブロック図。
【図６】制御信号Ｃｏｎｔ２の信号状態と増幅器の出力状態との関係の一例、および増幅器の出力状態の一例を示す説明図。
【図７】出力バッファの出力側の構成を示すブロック図。
【図８】制御信号Ｃｏｎｔ１と各スイッチの状態との関係を示す説明図。
【図９】列反転駆動を用いたときの消費電流を模式的に示す説明図。
【図１０】本発明による駆動装置の第２の実施の形態における動作例を示すタイミング図。
【図１１】第２の実施の形態における動作例を拡大して示すタイミング図。
【図１２】第２の実施の形態における他の動作例を拡大して示すタイミング図。
【発明を実施するための形態】
【００１９】
以下、本発明の実施の形態を図面を参照して説明する。
【００２０】
実施の形態１．
図１は、本発明による駆動装置が適用された液晶表示装置の構成例を示すブロック図である。図１に示す液晶表示装置において、液晶表示パネル１０には、マトリクス状に多数の画素１２が形成されている。画素を形成するために、横方向（行方向）に多数のゲート配線１３が設けられ、ゲート配線１３と交差するように列方向に多数のソース配線１４が設けられている。そして、ゲート配線１３とソース配線１４との交差部には、ＴＦＴ１５が形成されている。ＴＦＴ１５のドレイン電極１６は画素電極に接続されている。
【００２１】
ゲート配線１３、ソース配線１４および画素１２が形成されている基板と対向する位置に対向基板（図示せず）が設けられ、画素１２が形成されている基板と対向基板との間に液晶が挟持されている。対向基板には対向電極（コモン電極）が形成され、対向電極がコモン電位ＶＣＯＭに設定されている。なお、電気的には液晶は容量を有する素子であると見なすことができるので、図１には、一端が画素電極に接続され、他端の電位がコモン電位ＶＣＯＭになるキャパシタ１７が示されている。
【００２２】
ゲートドライバ３０は、例えば、線順次にゲート配線１３を駆動する。選択されたゲート配線１３すなわちゲートオン電圧ＶＧＨが印加されているゲート配線１３に接続されている画素における画素電極には、ソース配線１４を介してデータ電圧（データ信号に応じた電圧）ＶＤが印加される。
【００２３】
図１に示す構成例では、ソース配線１４を駆動するソースドライバ２０は、シフトレジスタ２１、データ信号ＤＡＴＡを順次ラッチして出力する第１ラッチ回路２２、第１ラッチ回路２２の出力を一括して取り込む第２ラッチ回路２３、第２ラッチ回路２３の出力（ディジタルデータ）の値に応じたアナログ信号（アナログ電圧）を出力するＤ−Ａコンバータ２４、およびＤ−Ａコンバータ２４の出力を電流増幅するバッファ回路２５を含む。
【００２４】
シフトレジスタ２１は、制御部（タイミング制御回路）４０が出力する選択期間の開始を示す信号に相当する水平スタートパルスＳＴＨを契機にして、データシフト用のクロック信号ＣＬＫから、データ取込用信号を生成して出力する。この実施の形態では、ソース配線１４の数をｍ（ｍ：正の整数で３の倍数）とする。データ信号はＲＧＢパラレルの場合クロック信号ＣＬＫの１個に対応するデータはＲＧＢ３本である。よって、シフトレジスタ２１の出力信号数はｍ／３である。シフトレジスタ２１は、例えば、クロック信号ＣＬＫのｌ個目のクロック（ｌ：１〜ｍ／３）に応じて１組目の出力をオン状態（データ取込を示す状態）にする。なお、本実施の形態では、液晶表示パネル１０は線順次駆動法で駆動され、選択期間は１ラインを駆動する期間に相当する。
【００２５】
第１ラッチ回路２２には、タイミング制御回路４０からデータ信号ＤＡＴＡが順次出力される。また、第１ラッチ回路２２には、シフトレジスタ２１からｍ／３個の信号が入力される。第１ラッチ回路２２は、ｍ個の信号のうちのｌ組目（ｌ：１〜ｍ／３）の信号がオン状態になったときに１組目のデータ（データ信号ＤＡＴＡ）をラッチして出力する。
【００２６】
第２ラッチ回路２３は、例えば、タイミング制御回路４０から出力されるストローブ信号ＳＴＢ（以下、ラッチ信号ＳＴＢという。）の立ち下がり時点で、第１ラッチ回路２２がラッチしている信号を一括して取り込む。
【００２７】
Ｄ−Ａコンバータ２４には、タイミング制御回路４０に含まれる電源回路（図示せず）から、例えば電圧Ｖｎ（ｎ：０〜１５）が供給される。図２に示すように、Ｖ８〜Ｖ１５は、コモン電圧ＶＣＯＭより高い電圧であり、Ｖ０〜Ｖ７はコモン電圧ＶＣＯＭよりも低い電圧である。また、Ｖ８〜Ｖ１５は正極性駆動のための電圧であり、Ｖ０〜Ｖ７は負極性駆動のための電圧である。
【００２８】
Ｄ−Ａコンバータ２４からタイミング制御回路４０から出力される極性反転信号ＰＯＬのレベル（ハイレベルまたはローレベル）に応じた値を示すｍ個の信号が出力される。例えば、極性反転信号ＰＯＬのレベルがハイレベルである場合には、ｍ個の信号のうちの奇数番目の信号を、第２ラッチ回路２３から入力された信号のレベルと正極性とに応じた値の信号にし、ｍ個の信号のうちの偶数番目の信号を、第２ラッチ回路２３から入力された信号のレベルと負極性とに応じた値の信号にする。また、極性反転信号ＰＯＬのレベルがローレベルである場合には、ｍ個の信号のうちの奇数番目の信号を、第２ラッチ回路２３から入力された信号のレベルと負極性とに応じた値の信号にし、ｍ個の信号のうちの偶数番目の信号を、第２ラッチ回路２３から入力された信号のレベルと正極性とに応じた値の信号にする。
【００２９】
なお、本実施の形態では、説明を簡単にするために、ソースドライバ２０は、電圧Ｖ８〜Ｖ１５を用いて正極性における８個の基準電圧を入力しドライバ内のラダー抵抗にて６４階調を実現する、電圧Ｖ０〜Ｖ７を用いて負極性における８個の基準電圧で６４階調を表示する。より多くの種類の階調を実現する場合にも本発明を適用することができる。また、Ｄ−Ａコンバータ２４には入力部のラダー抵抗が配設され、多階調が実現される。
【００３０】
また、図１に示された構成では、電源回路はタイミング制御回路４０に含まれるが、電源回路は、タイミング制御回路４０とは別に設けられていてもよい。
【００３１】
Ｄ−Ａコンバータ２４は、第２ラッチ回路２３から出力されたｍ個の信号のそれぞれが示す値に応じた電圧の信号（電圧信号）をバッファ回路２５に出力する。
【００３２】
バッファ回路２５は、Ｄ−Ａコンバータ２４から出力されたｍ個の電圧信号のそれぞれをｍ本のソース配線１４に印加する。
【００３３】
なお、図１に示すソースドライバ２０、ゲートドライバ３０およびタイミング制御回路４０は、液晶表示パネルの駆動装置の構成要素である。
【００３４】
図３および図４は、本発明による駆動装置の第１の実施の形態における動作例を示すタイミング図である。タイミング制御回路４０は、図３に示すように、各フレームにおける画像表示のための制御が開始される前に、制御信号Ｃｏｎｔ１を出力する。具体的には、垂直ブランキング期間における１水平期間（２つの水平同期信号の間の期間）以上の間、制御信号Ｃｏｎｔ１を有意なレベルにする。図３に示す例では、有意なレベルは、ハイレベルである。ソースドライバ２０は、制御信号Ｃｏｎｔ１にもとづいて、後述するような制御を実行する。制御信号Ｃｏｎｔ１を有意なレベルにすることが可能な期間の最大値は垂直ブランキング期間である。
【００３５】
また、図３に示すように、極性反転信号ＰＯＬは、１フレーム単位でレベルが逆になる。極性反転信号ＰＯＬがハイレベルであるときには、奇数番目のソース配線Ｓ（２ｎ−１）は正極性駆動され、偶数番目のソース配線Ｓ（２ｎ）は負極性駆動される。極性反転信号ＰＯＬがローレベルであるときには、奇数番目のソース配線Ｓ（２ｎ−１）は負極性駆動され、偶数番目のソース配線Ｓ（２ｎ）は正極性駆動される。なお、ｎは、１〜（ｍ／２）であり、ｍは偶数であるとする。
【００３６】
さらに、本実施の形態では、タイミング制御回路４０は、図４に示すように、制御信号Ｃｏｎｔ２を出力する。具体的には、各フレームにおける画像表示のための制御が開始された時点から１水平期間（１選択期間に相当）以上の水平期間（例えば、１〜３水平期間）の間、制御信号Ｃｏｎｔ２のレベルを所定のレベルにする。図４では、制御信号Ｃｏｎｔ２のレベルが、２水平期間の間、所定のレベルになっている例が示されている。ソースドライバ２０は、制御信号Ｃｏｎｔ２にもとづいて、後述するような特有の制御を実行する。
【００３７】
なお、図４では、制御信号Ｃｏｎｔ２のレベルが所定のレベルになっている期間がハイレベルの期間として示されているが、後述するように、所定のレベルは実際にはハイレベルであるとは限らない。また、所定のレベルになっていない期間がローレベルの期間として示されているが、実際にはローレベルであるとは限らない。
【００３８】
図５は、バッファ回路２５における１つの出力バッファ２５１の構成例を示すブロック図である。バッファ回路２５は、ソース配線１４の数分すなわちｍ個の出力バッファを備えている。バッファ回路２５における各出力バッファの構成は、図５に示された構成と同じである。
【００３９】
図５に示す例では、出力バッファ２５１は、Ｄ−Ａコンバータ２４が出力した信号を入力する駆動能力可変の増幅器２６１、増幅器２６１への入力が出力端子に供給される状態と供給されない状態とのいずれかにする第１のスイッチ２６３、増幅器２６１の出力が出力端子に供給される状態と供給されない状態とのいずれかにする第２のスイッチ２６４、および制御信号Ｃｏｎｔ２に応じて増幅器２６１の出力可能電流（最大出力電流）を変更するためのバイアス回路２６２を含む。なお、出力端子は、ソース配線１４に対する出力端子である。
【００４０】
また、第１のスイッチ２６３および第２のスイッチ２６４は、データ信号に応じた電圧の信号が増幅器２６１を介してソース配線１４に印加される状態と増幅器２６１を介さずにソース配線１４に印加される状態とのいずれかの状態に設定する出力経路設定部を実現する。
【００４１】
制御信号Ｃｏｎｔ２は、一例として、２ビットの信号である。図６（Ａ）は、制御信号Ｃｏｎｔ２の信号状態と増幅器２６１の出力状態との関係の一例を示す説明図である。図６（Ｂ）は、増幅器２６１の出力状態の具体的な一例を示す説明図である。制御信号Ｃｏｎｔ２は、１ビットでもよいが、液晶表示パネルの大きさによる適用能力や消費電力の選択幅の向上を鑑みて２ビットの信号が好ましい。
【００４２】
図６に示すように、制御信号Ｃｏｎｔ２のレベルが（Ｌ，Ｌ）であるときには、増幅器２６１の駆動能力は１３０％であり、制御信号Ｃｏｎｔ２のレベルが（Ｌ，Ｈ）であるときには、駆動能力は１００％であり、制御信号Ｃｏｎｔ２のレベルが（Ｈ，Ｌ）であるときには、駆動能力は８０％である。また、制御信号Ｃｏｎｔ２のレベルが（Ｈ，Ｈ）であるときには、Ｄ−Ａコンバータ２４からの電圧信号が、そのまま出力端子に出力される。なお、「Ｈ」はハイレベルを意味し、「Ｌ」はローレベルを意味する。
【００４３】
また、駆動能力１３０％および８０％は、制御信号Ｃｏｎｔ２のレベルが（Ｌ，Ｈ）であるときの駆動能力を基準にした相対的な最大出力電流を示す。
【００４４】
また、Ｄ−Ａコンバータ２４からの電圧信号による駆動能力は、制御信号Ｃｏｎｔ２のレベルが（Ｈ，Ｌ）であるときの駆動能力（図６（Ａ）に示す出力Ｃに相当）よりも低い。従って、データ信号に応じた電圧の信号がソース配線１４にそのまま印加される場合（第１のスイッチ２６３が閉鎖状態で第２のスイッチ２６４が開放状態の場合）の出力可能電流に比べて、制御信号Ｃｏｎｔ２のレベルが（Ｈ，Ｌ）であるときに増幅器２６１を介してデータ信号に応じた電圧の信号がソース配線１４に印加される場合の出力可能電流の方が多い。
【００４５】
図７は、バッファ回路２５における隣接する２つのソース配線１４を駆動する出力バッファ２５１，２５２の出力側の構成を示すブロック図である。出力バッファ２５１は、奇数番目のソース配線１４（例えば、１列目のソース配線１４）を駆動し、出力バッファ２５２は、偶数番目のソース配線１４（例えば、２列目のソース配線１４）を駆動するとする。
【００４６】
図７に示すように、出力バッファ２５１の出力側には、出力バッファ２５１の出力を通過させる状態と通過させない状態とに切り替える第１の出力スイッチ２６６が設けられている。出力バッファ２５２の出力側には、出力バッファ２５２の出力を通過させる状態と通過させない状態とに切り替える第２の出力スイッチ２６８が設けられている。また、隣接する２つのソース配線１４を接続する状態と接続しない状態とに切り替える第３のスイッチ２６７が設けられている。
【００４７】
なお、第１の出力スイッチ２６６、第２の出力スイッチ２６８および第３のスイッチ２６７は、隣接するソース配線１４を短絡させるソース配線初期設定部の一例である。
【００４８】
なお、出力バッファ２５２の内部構成は、図５に示された出力バッファ２５１の内部構成と同じである。また、バッファ回路２５において、ソース配線Ｓ（２ｎ−１）を駆動する全ての出力バッファの出力側に、図７に示された第１の出力スイッチ２６６が設けられている。また、ソース配線Ｓ（２ｎ−１）を駆動する全ての出力バッファの出力側に、図７に示された第２の出力スイッチ２６８が設けられている。また、ソース配線Ｓ（２ｎ−１）を駆動する出力バッファとソース配線Ｓ（２ｎ）を駆動する出力バッファとの間には（ｎ：１〜（ｍ／２））、図７に示された第３のスイッチ２６７が設けられている。
【００４９】
図８は、制御信号Ｃｏｎｔ１と、各スイッチ（第１の出力スイッチ２６６、第２の出力スイッチ２６８および第３のスイッチ２６７）の状態との関係を示す説明図である。図８に示すように、制御信号Ｃｏｎｔ１がローレベルであるときには、第１の出力スイッチ２６６および第２の出力スイッチ２６８はオン状態（閉鎖状態）になり、第３のスイッチ２６７は、オフ状態（開放状態）になる。制御信号Ｃｏｎｔ１がハイレベルであるときには、第１の出力スイッチ２６６および第２の出力スイッチ２６８はオフ状態になり、第３のスイッチ２６７は、オン状態になる。
【００５０】
次に、ソースドライバ２０の動作を、図４のタイミング図等を参照して説明する。以下、バッファ回路２５における２つの出力バッファ２５１，２５２に着目して説明を行うが、バッファ回路２５における２つの出力バッファ２５１，２５２以外の出力バッファも、出力バッファ２５１，２５２と同様に動作する。
【００５１】
タイミング制御回路４０は、図４に示されたように、垂直ブランキング期間における１水平期間以上の間、制御信号Ｃｏｎｔ１をハイレベルにする。図７および図８を参照すると、制御信号Ｃｏｎｔ１がハイレベルになると、バッファ回路２５において、奇数番目のソース配線Ｓ（２ｎ−１）を駆動する出力バッファの出力側に設けられている第１の出力スイッチ２６６は開放状態になり、偶数番目のソース配線Ｓ（２ｎ）を駆動する出力バッファの出力側に設けられている第２の出力スイッチ２６８は開放状態になる。また、ソース配線Ｓ（２ｎ−１）を駆動する出力バッファとソース配線Ｓ（２ｎ）を駆動する出力バッファとの間に設けられている第３のスイッチ２６７は閉鎖状態になる。
【００５２】
すなわち、奇数番目のソース配線Ｓ（２ｎ−１）のそれぞれは、隣接する偶数番目のソース配線Ｓ（２ｎ）に接続される。また、それぞれのソース配線１４は、出力バッファ２５１，２５２から切り離される。
【００５３】
その結果、コモン電圧ＶＣＯＭよりも高い電圧で駆動されていたソース配線１４の電位とコモン電圧ＶＣＯＭよりも低い電圧で駆動されていたソース配線１４の電位とが中和されるチャージシェアが実行される。すなわち、各ソース配線１４の電位はコモン電圧ＶＣＯＭに近づく。
【００５４】
チャージシェアは、垂直ブランキング期間において実行される。よって、１フレームにおける表示期間が開始されるときには、各ソース配線１４の電位はコモン電圧ＶＣＯＭに近づいているので、例えば、負極性で駆動されていた状態から正極性で駆動される状態に直接移行する場合に比べて、表示期間開始時の突入電流が低減される。
【００５５】
さらに、本実施の形態では、タイミング制御回路４０は、図４に示されたように、各フレームにおける画像表示のための制御が開始された時点から１水平期間以上の所定期間に亘って、すなわち、１フレームにおける駆動開始後の所定期間（１ライン以上のラインが駆動される期間）では、制御信号Ｃｏｎｔ２のレベルを所定のレベルにする。本実施の形態では、所定のレベルは（Ｈ，Ｌ）である。
【００５６】
図５および図６を参照すると、バッファ回路２５における出力バッファ２５１において、バイアス回路２６２は、制御信号Ｃｏｎｔ２のレベルに応じて、増幅器２６１の駆動能力を８０％にするようなバイアス電圧を与える。また、制御信号Ｃｏｎｔ２のレベルに応じて、第１のスイッチ２６３は、開放状態（増幅器２６１への入力が出力端子に供給されない状態）になり、第２のスイッチ２６４は、閉鎖状態（増幅器２６１の出力が出力端子に供給される状態）になる。
【００５７】
よって、ソース配線１４は、制御信号Ｃｏｎｔ２のレベルが所定のレベルになっている所定期間の間、駆動能力８０％の状態で駆動される。
【００５８】
タイミング制御回路４０は、所定期間が終了すると、制御信号Ｃｏｎｔ２のレベルを所定のレベル以外のレベルにする。本実施の形態では、所定のレベル以外のレベルは（Ｈ，Ｈ）である。
【００５９】
図５および図６を参照すると、バッファ回路２５における出力バッファ２５１において、第１のスイッチ２６３は、閉鎖状態（増幅器２６１への入力が出力端子に供給される状態）になり、第２のスイッチ２６４は、開放状態（増幅器２６１の出力が出力端子に供給されない状態）になる。よって、ソース配線１４は、Ｄ−Ａコンバータ２４からの電圧信号で駆動される。
【００６０】
Ｄ−Ａコンバータ２４からの電圧信号による駆動能力は、制御信号Ｃｏｎｔ２のレベルが（Ｈ，Ｌ）であるときの駆動能力よりも低いので、所定期間が終了した後、ソース配線１４は、より低い駆動能力で駆動される。その結果、ソースドライバ２０の消費電力は低くなる。
【００６１】
図９は、列反転駆動を用いたときの消費電流を模式的に示す説明図である。図９に示すように、交流駆動として列反転駆動を用いたときには、ドット反転駆動等の他の交流駆動を用いる場合に比べて表示期間の消費電力は少ない。すなわち、本実施の形態のように、表示期間において、駆動能力が低い状態でもソース配線１４を駆動することができる。なお、１画素毎に極性反転を行うドット反転駆動を用いたときには、ソースドライバ２０の出力電圧振幅が大きくなり、消費電力が多くなる。
【００６２】
図９に示すように、列反転駆動ではソースラインはフレームごとに極性が反転する。即ち表示期間開始時には例えば正極性から負極性への移行が必要になり突入電流が流れる（図９におけるＡ参照）。出力バッファ２５１の駆動能力が低いと、突入電流に対応することが困難になってソースドライバ２０の駆動電圧が一瞬低下して表示品位が低下するおそれがある。そこで、本実施の形態では、上述したように、表示期間開始後の所定期間は、ソースドライバ２０の駆動能力（出力可能電流）を高くする。そして、その後は、低駆動能力でソース配線１４を駆動することができ、消費電力を低減することができる。
【００６３】
また、上述したように、本実施の形態では、垂直ブランキング期間におけるチャージシェアによって表示期間が開始される前に各ソース配線１４の電位がコモン電圧ＶＣＯＭに近づいているので、表示期間開始時の突入電流は低減されている。よって、表示期間開始後の所定期間における駆動能力の上昇の程度を小さくすることができる。つまり、表示期間開始後の所定期間では出力バッファ２５１の駆動能力を高くするが、極端に高くする必要はない。
【００６４】
ただし、垂直ブランキング期間におけるチャージシェアを行わない場合でも、表示期間開始後の所定期間においてソースドライバ２０の駆動能力を高くする制御は効果的である。
【００６５】
また、本実施の形態では、表示期間開始後の所定期間（例えば、１水平期間以上の期間）において、図６（Ｂ）に例示された駆動能力８０％でソース配線１４を駆動したが、図６（Ｂ）に示す例では１００％や１３０％の駆動能力でソース配線１４を駆動してもよい。また、本実施の形態では、表示期間開始後の所定期間では駆動能力８０％の状態で駆動され、所定期間が経過した後ではソース配線１４は、Ｄ−Ａコンバータ２４からの電圧信号で駆動されたが、所定期間における駆動能力が所定期間が経過した後の駆動能力よりも高ければ、駆動能力８０％とＤ−Ａコンバータ２４からの電圧信号の駆動能力との組合せ以外の組合せを用いてもよい。
【００６６】
一例として、表示期間開始後の所定期間では駆動能力１３０％または１００％の状態（図６参照）で駆動され、所定期間が経過した後では駆動能力８０％で駆動されるようにしてもよい。その場合には、図５に示す第１のスイッチ２６３および第２のスイッチ２６４は不要であり、Ｄ−Ａコンバータ２４からの電圧信号は常に増幅器２６１を介してソース配線１４に印加され、増幅器２６１は、駆動能力を高くする期間では、その期間よりも後の期間における出力可能電流に比べて、出力可能電流を上昇させた状態でデータ信号に応じた電圧の信号をソース配線１４に印加する。
【００６７】
また、本実施の形態では、垂直ブランキング期間においてチャージシェアを実行したが、チャージシェアに代えて、ソース配線１４に所定のプリチャージ電圧（例えば、コモン電圧ＶＣＯＭ）を印加するプリチャージを行ってもよい。プリチャージを行う場合には、図７に示された構成において、第３のスイッチ２６７に代えて、ソース配線１４にプリチャージ電位に接続する状態と接続しない状態とに切り替える第４のスイッチが設けられる。そして、制御信号Ｃｏｎｔ１がハイレベルになると、バッファ回路２５において、第１の出力スイッチ２６６は開放状態（第２の出力スイッチ２６８も同様）になり（図７参照）、第４のスイッチは、ソース配線１４をプリチャージ電位に接続する状態になる。
【００６８】
その場合には、第１の出力スイッチ２６６、第２の出力スイッチ２６８および第４のスイッチは、各ソース配線１４を所定の電位に接続するソース配線初期設定部に相当する。
【００６９】
以上に説明したように、本実施の形態では、ソースドライバ２０は、少なくとも各フレームにおける最初の１ラインを駆動する期間、すなわち１ラインを駆動する期間以上の期間での駆動能力に対して、それより後の期間における駆動能力を低くするので、換言すれば、少なくとも各フレームにおける最初の１ラインを駆動する期間における駆動能力を、それより後の期間における駆動能力よりも高くするので、簡易な構成によって、表示品位の劣化を防止しつつ消費電力をより低減することができる。
【００７０】
実施の形態２．
上記の実施の形態では、駆動装置が、表示期間開始後の所定期間（具体的には、１ラインを駆動する期間以上の期間である初期期間）では、例えば図６（Ｂ）に示された駆動能力８０％（高い駆動能力に相当）でソース配線１４を駆動するように制御し、所定期間経過後では、Ｄ−Ａコンバータ２４からの電圧信号（低い駆動能力に相当）でソース配線１４を駆動するように制御したが、所定期間（初期期間）については高い駆動能力による制御を行うが、所定期間経過後の期間において、第１の実施の形態における所定期間経過後の場合と異なる制御を行ってもよい。
【００７１】
第２の実施の形態では、所定期間よりも後の期間において、定期的に生ずる各期間における前半の区間では高い駆動能力でソース配線１４を駆動するが、後半の区間では、前半の区間に比べて低い駆動能力でソース配線１４を駆動する。
【００７２】
なお、説明を容易にするために、以下の説明では、定期的に生ずる各期間を各ラインを駆動する期間（各ラインの期間）とする。
【００７３】
第２の実施の形態におけるソースドライバ２０の動作を、図１０および図１１のタイミング図を参照して説明する。図１１のタイミング図は、図１０に記載された各フレームにおける第１〜第３ラインの期間を拡大して示すタイミングである。なお、図１０では、第１ラインの期間においてのみ制御信号Ｃｏｎｔ２が所定のレベルになっているが、本実施の形態では、第１ラインの期間よりも後の期間において前半の区間では高い駆動能力でソース配線１４を駆動し後半の区間では低い駆動能力でソース配線１４を駆動する制御を実現するために制御信号Ｃｏｎｔ２を利用するので、実際には、図１１に示されているように、第２ラインの期間以降の期間においても所定のレベルになる。
【００７４】
また、図１０および図１１において、制御信号Ｃｏｎｔ２のレベルが所定のレベルになっている期間がハイレベルの期間として示されているが、後述するように、所定のレベルは実際にはハイレベルであるとは限らない。また、所定のレベルになっていない期間がローレベルの期間として示されているが、実際にはローレベルであるとは限らない。また、図１１に記載されている「（変更）」は、前半の区間の長さを任意に設定できることを意味している。
【００７５】
ソースドライバ２０およびゲートドライバ３０の構成は、図１に示された第１の実施の形態におけるそれらの構成と同じである。増幅器２６１およびその出力側の構成は、図５および図７に示された第１の実施の形態におけるそれらの構成と同じである。タイミング制御回路４０の構成は、以下で説明されるように第２ライン以降のラインの期間における制御信号の出力の仕方が一部異なること以外、図１に示された第１の実施の形態におけるタイミング制御回路４０の構成と同じである。また、制御信号Ｃｏｎｔ２の信号状態と増幅器２６１の出力状態との関係、および増幅器２６１の出力状態として、図６に示された例を使用する。
【００７６】
以下、バッファ回路２５における２つの出力バッファ２５１，２５２（図５および図７参照）に着目して説明を行うが、バッファ回路２５における２つの出力バッファ２５１，２５２以外の出力バッファも、出力バッファ２５１，２５２と同様に動作する。
【００７７】
タイミング制御回路４０は、図１０に示すように、垂直ブランキング期間における１水平期間以上の間、制御信号Ｃｏｎｔ１をハイレベルにする。制御信号Ｃｏｎｔ１の状態に応じて、第１の実施の形態の場合と同様に、出力バッファ２５１，２５２の接続状態の設定によってチャージシェアが実行される。
【００７８】
また、本実施の形態でも、タイミング制御回路４０は、図１０に示すように、各フレームにおける画像表示のための制御が開始された時点から１水平期間以上の所定期間に亘って、すなわち、１フレームにおける駆動開始後の所定期間（第１ラインの期間）では、制御信号Ｃｏｎｔ２のレベルを所定のレベルにする。本実施の形態では、所定のレベルは（Ｈ，Ｌ）である。
【００７９】
よって、第１の実施の形態の場合と同様に、ソース配線１４は、制御信号Ｃｏｎｔ２のレベルが所定のレベルになっている所定期間の間、駆動能力８０％の状態で駆動される。
【００８０】
第１の実施の形態では、タイミング制御回路４０は、所定期間が終了すると、制御信号Ｃｏｎｔ２のレベルを所定のレベル以外のレベルにした。具体的には、制御信号Ｃｏｎｔ２のレベルを（Ｈ，Ｈ）にした。よって、ソース配線１４は、Ｄ−Ａコンバータ２４からの電圧信号で駆動された（図６参照）。
【００８１】
すなわち、第１の実施の形態では、タイミング制御回路４０は、第２ライン以降の期間では、全期間に亘ってソース配線１４が低い駆動能力で駆動されるように制御されていた。
【００８２】
しかし、本実施の形態では、第２ライン以降の各期間において、前半の区間では高い駆動能力でソース配線１４を駆動するが、後半の区間では、前半の区間に比べて低い駆動能力でソース配線１４を駆動するために、制御信号Ｃｏｎｔ２の出力の仕方を、第１の実施の形態の場合とは異ならせる。
【００８３】
すなわち、図１１に示すように、第２ライン以降では、各々のラインの駆動を開始してから、所定の期間（前半の区間）では、タイミング制御回路４０は、制御信号Ｃｏｎｔ２のレベルを所定のレベルにする。本実施の形態では、所定のレベルは（Ｈ，Ｌ）である（図６（Ａ），（Ｂ）参照）。また、前半の区間が終わると、制御信号Ｃｏｎｔ２のレベルを（Ｈ，Ｈ）にする。よって、後半の区間では、低い駆動能力でソース配線１４が駆動される（図６（Ａ），（Ｂ）参照）。
【００８４】
本実施の形態では、第１の実施の形態に比べて、液晶表示パネル１０の特性を考慮して消費電力を低減することができる。つまり、液晶表示パネル１０のサイズや画素数が大きいことなどに起因して第１の実施の形態を適用したのでは電流量が不足して表示品位が低下する等の現象が生ずる場合には、本実施の形態を適用することによって、第１の実施の形態の場合に比べて高い駆動能力で駆動する期間を長くして表示品位の低下防止を図りつつ、１フレームの全期間に亘って高い駆動能力で駆動することはないようにして消費電流の増加を抑制することができる。
【００８５】
なお、第２ライン以降の期間においてタイミング制御回路４０が制御信号Ｃｏｎｔ２の出力レベルを所定のレベルにした後、所定のレベルの出力を解除する時期（前半の区間の終了時点に相当）を変更することによって、駆動能力を高くする期間（すなわち、前半の区間）の長さを変更することができる。よって、液晶表示パネル１０のサイズや画素数の違い等に応じて、前半の区間の長さを調整することができる。すなわち、表示品位の低下防止等を図りつつ消費電流を低減する制御をきめ細かく実現することが可能になる。例えば、消費電流を低減するために余りに駆動能力を高くする期間を短くしたのでは、表示品位が所望の品位よりも低くなるような場合には、前半の区間を長くする。
【００８６】
前半の区間の長さを調整する制御を実現する構成として、一例として、タイミング制御回路４０に制御入力端子を設けた構成がある。その場合、タイミング制御回路４０は、制御信号Ｃｏｎｔ２の出力レベルを所定のレベルにした後、クロック信号のパルス数を計数し、計数値が、制御入力端子に入力された信号の種類（具体的には、信号レベルの種類）に応じたあらかじめ決められている値になったら所定のレベルの出力を解除する。なお、このように構成する場合には、タイミング制御回路４０によって、前半の区間の長さを調整する区間調整手段が実現される。
【００８７】
また、本実施の形態では、制御信号Ｃｏｎｔ２を利用して、前半の区間では高い駆動能力でソース配線１４を駆動し後半の区間では低い駆動能力でソース配線１４を駆動する制御を実現するが、実現方法は、制御信号Ｃｏｎｔ２を用いる方法に限られない。例えば、図１２に示すように、タイミング制御回路４０は、第２ライン以降の期間において、制御信号Ｃｏｎｔ２とは別の制御信号Ｃｏｎｔ３によって前半の区間または後半の区間を指定するようにしてもよい。
【００８８】
制御信号Ｃｏｎｔ３を用いる場合には、タイミング制御回路４０は、所定の期間（前半の区間）では、制御信号Ｃｏｎｔ３のレベルを所定のレベルにする。本実施の形態では、所定のレベルは（Ｈ，Ｌ）である（図６（Ａ），（Ｂ）参照）。また、前半の区間が終わると、制御信号Ｃｏｎｔ３のレベルを（Ｈ，Ｈ）にする。よって、後半の区間では、低い駆動能力でソース配線１４が駆動される（図６（Ａ），（Ｂ）参照）。
【００８９】
また、第２ライン以降の期間において、制御信号Ｃｏｎｔ２や制御信号Ｃｏｎｔ３を用いるのではなく、バッファ回路２５が、例えばデータシフト用のクロック信号ＣＬＫを入力し、クロック信号ＣＬＫの立上がりまたは立下がりの回数を計数することによって、独自に、前半の期間の終了時点を定めるようにしてもよい。そのように構成する場合には、バッファ回路２５によって、前半の区間の長さを調整する区間調整手段を実現することもできる。
【００９０】
また、本実施の形態では、前半の区間において、図６（Ｂ）に例示された駆動能力８０％でソース配線１４を駆動したが、図６（Ｂ）に示す例では１００％や１３０％の駆動能力でソース配線１４を駆動してもよい。また、本実施の形態では、前半の区間では駆動能力８０％の状態で駆動され、後半の区間ではソース配線１４は、Ｄ−Ａコンバータ２４からの電圧信号で駆動されたが、後半の区間における駆動能力が表示期間開始後の所定期間（例えば、第１ラインの期間）および前半の区間における駆動能力よりも高いことを条件として、駆動能力８０％とＤ−Ａコンバータ２４からの電圧信号の駆動能力との組合せ以外の組合せを用いてもよい。
【００９１】
一例として、前半の区間では駆動能力１３０％または１００％の状態（図６参照）で駆動され、後半の区間では駆動能力８０％で駆動されるようにしてもよい。
【００９２】
また、本実施の形態では、表示期間開始後の所定期間（初期期間）での駆動能力と所定期間よりも後の期間における前半の区間での駆動能力とを同じにしたが、前半の区間における駆動能力を、初期期間における駆動能力よりも低くしてもよい。なお、制御信号Ｃｏｎｔ２とは別の制御信号Ｃｏｎｔ３によって前半の区間または後半の区間を指定するように構成されている場合には、前半の区間における駆動能力を初期期間における駆動能力とは異ならせる制御がより容易である。
【００９３】
また、以上の説明において、液晶表示パネル１０は、モノクロパネル／カラーパネルのいずれであってもよい。
【産業上の利用可能性】
【００９４】
本発明を、携帯機器、車載機器、映像表示機器等に搭載される液晶表示装置に適用することができる。
【符号の説明】
【００９５】
１０    液晶表示パネル
２０    ソースドライバ
２１    シフトレジスタ
２２    第１ラッチ回路
２３    第２ラッチ回路
２４    Ｄ−Ａコンバータ
２５    バッファ回路
３０    ゲートドライバ
４０  制御部（タイミングコントロール回路）
２５１，２５２  出力バッファ
２６１  増幅器
２６２  バイアス回路
２６３  第１のスイッチ
２６４  第２のスイッチ
２６６  第１の出力スイッチ
２６７  第３のスイッチ
２６８  第２の出力スイッチ
【図１】
2012008519.tif 000003
【図２】
2012008519.tif 000004
【図３】
2012008519.tif 000005
【図４】
2012008519.tif 000006
【図５】
2012008519.tif 000007
【図６】
2012008519.tif 000008
【図７】
2012008519.tif 000009
【図８】
2012008519.tif 000010
【図９】
2012008519.tif 000011
【図１０】
2012008519.tif 000012
【図１１】
2012008519.tif 000013
【図１２】
2012008519.tif 000014